(57)【特許請求の範囲】
【請求項１】
中心に指標を有する長尺状板体と、この長尺状板体の左右端部に設けられた左右一対の折り返し部材と、前記左右の折り返し部材の内側に位置し、かつ前記長尺状板体にスライド自在に設けられ、かつ芯出し対象物の両側面を挟むように接触する左右一対の当接部分を有する左右一対の操作片と、前記左の操作片に一端部が、一方、前記右の操作片に他端部がそれぞれ連結されると共に、略張った状態で前記左右の折り返し部材にそれぞれ折り返された一対の牽引部材とから成り、少なくとも前記左右の操作片のいずれか一方を手動で前記長尺状板体の長手方向に沿ってスライドさせると、該左右の操作片は前記指標を基準にして互いに同期的に接近又は離反することを特徴とする芯出し工具。
【請求項２】
請求項１に於いて、左右一対の折り返し部材は、固定軸に回転自在に設けられたローラであり、また一対の牽引部材は線状又は紐状のいずれかであることを特徴とする芯出し工具。
【請求項３】
中心に指標を有する長尺状板体と、この長尺状板体の左右端部に設けられた左右一対の折り返し部と、前記左右の折り返し部の内側に位置し、かつ前記長尺状板体にスライド自在に設けられた左右一対の操作片と、前記左の操作片の一端部が、一方、前記右の操作片に他端部がそれぞれ連結されると共に、略張った状態で前記左右の折り返し部にそれぞれ折り返された一対の牽引部材とから成り、少なくとも前記左右の操作片のいずれか一方を手動で前記長尺状板体の長手方向に沿ってスライドさせると、該左右の操作片は前記指標を基準にして互いに同期的に接近又は離反することを特徴とする芯出し工具。
【請求項４】
請求項３に於いて、左右一対の折り返し部は、長尺状板体の両端縁、又は両端部に形成された案内切欠のいずれかであり、また一対の牽引部材はテープ状であることを特徴とする芯出し工具。
【請求項５】
請求項１又は請求項３に於いて、芯出し対象物は、載置底面と平坦上面と、前記載置底面及び平坦上面に沿う方向の側周面とを有する立体的形状であり、少なくとも前記載置底面又は平坦上面のいずれかの一側表面の中心を芯出しできることを特徴とする芯出し工具。
【請求項６】
請求項１又は請求項３に於いて、指標は長尺状板体の長辺と直交する線、マーキング用切欠、マーキング用透孔のいずれかであることを特徴とする芯出し工具。
【発明の詳細な説明】
【技術分野】
【０００１】
本発明は、柱、建材、墓石、看板等の立体的形状の一側表面の中心に印を付することができる芯出し工具に関する。
【背景技術】
【０００２】
特許文献１は、芯出し工具に関するもので、その課題は、ワークの断面中心を求めると同時にワークの内径若しくは外径を計測できるようにすることである。そして、解決手段の基本的構成は、ハウジング２に指標７ａを有するピニオン軸７に回転自在に設けられた一つのピニオン３と、該ピニオンに噛合し、かつ、前記ハウジング２に互いに接離可能に設けられていると共に、外端部にボール付ねじ部材１２、１３及びワークＷ１の内周面又は外周面に同時に当接する一対の当接子１１、１１とを有する一対のラック部材１４、１５から成る（符号は特許文献１のもの）。
【０００３】
上記芯出し工具は、熟練者でなくても、ワークの断面中心を求めることができるという利点を有するものの、ピニオン３と一対のラック部材１４、１５を特定要件としているので、構成が複雑である、製造コストが掛かる、筒体の中心を求めるには適しているが、柱、建材、墓石、看板等の立体的形状の一側表面の中心に印を付する場合には適さない等の問題点があった。
【先行技術文献】
【特許文献】
【０００４】
【特許文献１】実用新案登録公報第２５１１６６７号
【発明の概要】
【発明が解決しようとする課題】
【０００５】
本発明の主たる目的は、熟練者でなくても、容易に柱、建材、墓石、看板等の立体的形状の一側表面の中心に印を付することができることである。第２の目的は、簡単な構成により、主たる目的を達成することができることである。
【課題を解決するための手段】
【０００６】
本発明の芯出し工具は、中心に指標を有する長尺状板体と、この長尺状板体の左右端部に設けられた左右一対の折り返し部材と、前記左右の折り返し部材の内側に位置し、かつ前記長尺状板体にスライド自在に設けられ、かつ芯出し対象物の両側面を挟むように接触する左右一対の当接部分を有する左右一対の操作片と、前記左の操作片に一端部が、一方、前記右の操作片に他端部がそれぞれ連結されると共に、略張った状態で前記左右の折り返し部材にそれぞれ折り返された一対の牽引部材とから成り、少なくとも前記左右の操作片のいずれか一方を手動で前記長尺状板体の長手方向に沿ってスライドさせると、該左右の操作片は前記指標を基準にして互いに同期的に接近又は離反することを特徴とする。
【０００７】
また本発明の芯出し工具は、中心に指標を有する長尺状板体と、この長尺状板体の左右端部に設けられた左右一対の折り返し部と、前記左右の折り返し部の内側に位置し、かつ前記長尺状板体にスライド自在に設けられた左右一対の操作片と、前記左の操作片の一端部が、一方、前記右の操作片に他端部がそれぞれ連結されると共に、略張った状態で前記左右の折り返し部にそれぞれ折り返された一対の牽引部材とから成り、少なくとも前記左右の操作片のいずれか一方を手動で前記長尺状板体の長手方向に沿ってスライドさせると、該左右の操作片は前記指標を基準にして互いに同期的に接近又は離反することを特徴とする。なお、ここでの「長尺状板体」の用語は、普通一般の物差形状のものから、やや厚みのある直方体のものまで含まれる幅広い概念である。
【発明の効果】
【０００８】
（ａ）独立請求項に記載の発明は、簡単な構成により、熟練者でなくても、容易に柱、建材、墓石、看板等の立体的形状の中心に印を付することができる。
（ｂ）請求項２に記載の発明は、左右一対の折り返し部材は、固定軸に回転自在に設けられたローラであり、また一対の牽引部材は線状又は紐状のいずれかであるから、左右一対の操作片は、スムースに牽引部材を牽引することができる。
（ｃ）請求項４に記載の発明は、左右一対の折り返し部は、長尺状板体の両端縁又は両端部に形成された筋状の切欠のいずれかであり、また一対の牽引部材はテープ状であるから、より一層構成がシンプルとなる。したがって、製造コストを可能な限り低く抑えることができる。
（ｄ）請求項５に記載の発明は、芯出し対象物は載置底面、平坦上面及び側周面を有する立体的形状であるから、例えば墓石の一側表面の中心部にＯＯ家、ＯＯＯＯ之墓等の文字を字彫りする場合、看板の中心部に文字や図柄を付する場合、建材の中心に印を付する場合に本発明を用いることができる。
（ｅ）請求項６に記載の発明は、指標は長尺状板体の長辺と直交する線、マーキング用切欠、マーキング用透孔のいずれかであるから、視認しながら容易に芯出し対象物にマーキングすることができる。
【図面の簡単な説明】
【０００９】
図１乃至図８は本発明の第１実施形態を示す各説明図、図９乃至図１４は本発明の第２実施形態を示す各説明図。
【図１】第１実施形態の斜視からの説明図。
【図２】正面視からの説明図（牽引部材の一部を省略）。
【図３】平面視からの説明図。
【図４】図３の４−４線断面図。
【図５】図３の５−５線拡大断面図。
【図６】離反状態の左右の操作片が中心を求める指標を基準にして互いに接近した説明図。
【図７】芯出し対象物が墓石である場合に於いて、墓石の一側表面の中心にマーキングを付した説明図。
【図８】図７に於いて、字彫りのために、中心にマーキングを有するゴムシートを墓石の中心のマーキングに合わせ、該ゴムシートを前記墓石に張り付ける説明図。
【図９】第２実施形態の斜視からの説明図。
【図１０】正面視からの説明図。
【図１１】平面視からの説明図。
【図１２】図１１の１２−１２線断面図。
【図１３】図１１の１３−１３線拡大断面図。
【図１４】離反状態の左右の操作片が中心を求める指標を基準にして互いに接近した説明図。
【図１５】長尺状板体と操作片との第２の嵌合構造を示す説明図。
【図１６】長尺状板体と操作片との第３の嵌合構造を示す説明図。
【発明を実施するための最良の形態】
【００１０】
図１乃至図８は、本発明の第１実施形態の芯出し工具Ｘの各説明図である。この芯出し工具Ｘの芯出し対象物Ｙは、載置底面と平坦上面と、前記載置底面及び平坦上面に沿う方向の側周面とを有する立体的形状であり、少なくとも前記載置底面又は平坦上面のいずれかの一側表面の中心を芯出しすることができる。したがって、前記芯出し対象物Ｙは、例えば柱、建材、墓石、看板等の立体的形状であるが、実施形態では「墓石」を一例にして説明する。
【００１１】
まず図１に於いて、Ｆは床面、Ｙは該床面に横倒し状態に載置された立体的形状の墓石、ａは墓石の載置底面、ｂは墓石の平坦上面、ｃは載置底面及び平坦上面に沿う方向の側周面である。前記側周面ｃは、墓石の形態如何によっては一辺が弧状に形成されている。なお、ここで「一側表面」の用語は、載置底面ａ、平坦上面ｂ、側周面ｃのいずれかを意味する。また芯出し工具Ｘの左右は、例えば図３の平面視を基準とする。
【００１２】
次に各図において、１は中心に指標Ｍを有する長尺状板体で、この長尺状板体１は金属板又は合成樹脂板で、物差し形状に形成されている。長尺状板体１の長さは、芯出し対象物Ｙの横幅と縦の長さを考慮して任意に設定することができるが、例えば芯出し対象物Ｙが墓石である場合には、横幅及び縦の長さのそれぞれよりも長い。何故ならば、芯出し対象物Ｙの一側表面ｂの中心を求める場合、長尺状板体１にスライド自在に設けた後述の左右一対の操作片４、４Ａを前記指標Ｍへと接近させるからである。前記指標Ｍは、長尺状板体１の長辺と直交する線、マーキング用切欠、マーキング用透孔のいずれかであるが、望ましくは前記長辺と直交する線か又は平面視外向きのＶ字形状のマーキング用切欠である。また長尺状板体１は透明であるのが好ましい。
【００１３】
２、２Ａは前記長尺状板体１の左右端部１ａ、１ｂに設けられた左右一対の折り返し部材で、これらの折り返し部材２、２Ａは、好ましくは垂直の固定軸２ａと、該固定軸２に回転自在に設けられ、かつ側周面に周溝３を有するローラ２ｂとから成る。なお、折り返し部材２、２Ａは、前記垂直の固定軸２ａと前記側周面に周溝３を有するローラ２ｂは一体的に構成された短杆状の軸部材であっても良い。
【００１４】
４、４Ａは前記左右の折り返し部材２、２Ａの内側に位置し、かつ前記長尺状板体１にスライド自在に設けられ、かつ芯出し対象物Ｙの両側面を挟むように接触する左右一対の当接部分を有する左右一対の操作片である。実施形態の操作片４、４Ａは、例えば図４及び図５で示すように、物差し形状の長尺状板体１の上面、裏面及び長辺側の両側面に外嵌合する断面横長矩形状の嵌合部分４ａと、この嵌合部分４ａの裏面に垂直状態に連設すると共に、前記長尺状板体１の長手方向（左右方向）と直交する前後方向の当接部分４ｂ、４ｂとから成り、前記操作片４、４Ａの一対の当接部分４ｂ、４ｂは芯出し対象物Ｙの両側面ｄ、ｄを挟むので、長板状の下向き突片に形成するのが好ましい。
【００１５】
実施形態では、図３で示すように、左右の当接部分４ｂ、４ｂは、互いに対向した状態で長尺状板体１の裏面から連続しかつ前側面１ｃから所定量突出している。したがって、芯出し対象物Ｙの中心を求めた場合に長尺状板体１は前後方向に揺れることがなく、確実に芯出し対象物Ｙの両側面ｄ、ｄを挟持することができる。
【００１６】
５、６は、左右一対の操作片４、４Ａの上面にそれぞれ離間して固定的に設けられた複数個（例えば２個）の連結具である。これらの連結具５、６の詳細構造については特に図示しないが、例えば紐状の牽引部材を通すことができる水平貫通孔が設けられている。しかして、図３で示すように、７、８は左の操作片４に一端部７ａ、８ａが、一方、右の操作片４Ａに他端部７ｂ、８ｂがそれぞれ前記連結具５、６を介して回転対称的に連結されると共に、略張った状態で前記左右の折り返し部材２、２Ａにそれぞれ折り返された一対の牽引部材である。これらの牽引部材７、８は、実施形態では、線状又は紐状のいずれかであり、それらの端部７ａ、７ｂ、８ａ、８ｂは、連結具５、６の貫通孔を貫通した状態で適宜に連結するのが好ましい。
【００１７】
上記構成に於いて、図６は離反状態の左右の操作片４、４Ａが中心を求める指標Ｍを基準にして互いに接近した説明図である。本発明の芯出し工具Ｘは、少なくとも左右の操作片４、４Ａのいずれか一方を摘まんだ状態で長尺状板体１の長手方向に沿ってスライドさせると、該左右の操作片４、４Ａは中心の指標Ｍを基準にして互いに同期的に接近又は離反する。付言すると、いわば傾斜面を昇降動するケーブルの如く、二本の牽引部材７、８は、互いに相手側の操作片４（４Ａ）を引っ張り合って接離する。
【００１８】
図７は芯出し対象物が墓石Ｙである場合に於いて、墓石Ｙの一側表面（平坦上面）ｂの中心にマーキングｍを付した説明図である。この場合、まず図１で示すように、墓石Ｙの一側表面ｂに長尺状板体１の裏面を宛がうようにし、次いで、図６で示すように一方又は両方の操作片４、４Ａを中心の指標Ｍを基準にして互いに同期的に接近させて墓石Ｙの左右の両側面ｄ、ｄに左右一対の当接部分４ｂ、４ｂの垂直内面を当接させ、然るのちに、図７で示すように、墓石Ｙの一側表面ｂの上端部と下端部の中心に中心の指標Ｍを目印にしてそれぞれ線状のマーキングｍ、ｍを付する。この場合同様の工程を繰り返して上下の二か所にマーキングｍ、ｍを付することが望ましい。
【００１９】
図８は図７に於いて、字彫りのために、中心に交差状のマーキングＭ１、Ｍ２を有するゴムシートＺを墓石の中心のマーキングｍ、ｍに合わせ、該ゴムシートＺを前記墓石Ｙに張り付ける説明図である。
【００２０】
なお、また二本の牽引部材７、８の一部にバネ部材を含めても良い。このような実施形態の場合には、牽引部材７、８をより張った状態で長尺状板体１に直接又は間接的に設けることができる。
【実施例】
【００２１】
次に、図９乃至図１４を参照にして、本発明の他の実施形態を説明する。なお、第２の実施形態の説明に当って、第１実施形態と同一の部分には同一又は同様の符号を付して重複する説明を割愛する。
【００２２】
この第２実施形態が第１実施形態と主に異なる事項は、
（ａ）対称的な二本の牽引部材７Ａ、８Ａはテープ状帯状部材である点、なお、これらのテープ状帯状部材７Ａ、８Ａの材質は、強靭な材質の合成樹脂繊維を用いるのが望ましい。
（ｂ）対称的な左右一対の操作片４Ｂ、４Ｃの連結部は、前記二本の牽引部材７Ａ、８Ａが所定幅を有するテープ状帯状部材なので、牽引部材７Ａ、８Ａの長手方向に直交する複数個の連結長孔５Ａ、６Ａである点、したがって、前記二本の牽引部材７Ａ、８Ａの各端部７ａ、７ｂ、８ａ、８ｂは、前記連結長孔５Ａ、６Ａをそれぞれ通して適宜に連結されている。望ましくは、連結長孔５Ａ、６Ａを通した各端部７ａ、７ｂ、８ａ、８ｂを所要量巻装状態にしてストッパー機能を有する連結長孔５Ａ、６Ａの短径から食み出るようにする。
（ｃ）長尺状板体１Ａの左右の端部１ａ、１ｂの各端縁を左右の折り返し部２Ｂ、２Ｃとし、望ましくは前記各端縁に牽引部材７Ａ、８Ａの幅に対応する案内切欠１１、１１を形成する。
（ｄ）指標Ｍが、外向きのＶ字形状である点。
【００２３】
上記構成に於いて、図１４は、離反状態の左右の操作片４Ｂ、４Ｃが中心を求める指標Ｍを基準にして互いに接近した説明図で、長尺状１Ａの上下の仮想線は、説明の便宜上、左右の操作片４Ｂ、４Ｃが長尺状板体１Ａをその長手方向にスライドした場合に於ける二本の牽引部材７Ａ、８Ａの各端部７ａ、７ｂ、８ａ、８ｂの位置変位を示している。したがって、該２実施形態も第１実施形態と同一の作用・効果を得ることができる。
【００２４】
次に図１５は、長尺状板体１Ｂと左右の操作片４Ｄ、４Ｅとの第２の嵌合構造を示す説明図、図１６は長尺状板体１Ｃと左右の操作片４Ｆ、４Ｇとの第３の嵌合構造を示す説明図である。図１５及び図１６から明らかなように、左右の操作片４Ｄ、４Ｅ、４Ｆ、４Ｇは、例えば長尺状板体１Ｂ、１Ｃが一対の被係合部（メス）１２、１３である場合には、前記被係合部（メス）１２、１３に係合する一対の係合部（オス）１４、１５を有するものである。このように、長尺状板体１Ｂ、１Ｃに対する縦断面がリップミゾ形状の操作片４Ｄ、４Ｅや断面下向きコ状形状の操作片４Ｆ、４Ｇの嵌合構造は適宜に設計し得る事項である。
【００２５】
なお、特に図示しないが、例えば長尺状板体１の前後方向の後側面１ｄを内側に突出するように折り曲げ形成し、該折り曲げ部位の左右端部に牽引部材用の左右の折り返し部材２、２Ａを設ける、該長尺状板体１の折り曲げ部位に操作片４、４Ａ、４Ｂ、４Ｃ、４Ｄ、４Ｅ、４Ｆ、４Ｇの後側面に同様に形成した折り曲げ部分(嵌合部分)を外嵌合する(いわゆる片持ち式操作片)など、折り曲げ部位の位置や操作片の嵌合態様を発明の課題を逸脱しない範囲で適宜に設計し得る。
【産業上の利用可能性】
【００２６】
本発明は、柱、建材、墓石、看板等の立体的形状の一側表面の中心に印を付することができる芯出し工具として利用することができる。
【符号の説明】
【００２７】
Ｘ…芯出し工具、
Ｙ…芯出し対象物、
ｂ…芯出し対象物の一側表面（平坦上面）、
Ｍ…指標、
ｍ…対象物に付されたマーキング、
１、１Ａ、１Ｂ、１Ｃ…長尺状板体、
２、２Ａ…折り返し部材、
２ａ…固定軸、２ｂ…ローラ、
２Ｂ、２Ｃ…左右の折り返し部、
４、４Ａ、４Ｂ、４Ｃ、４Ｄ、４Ｅ、４Ｆ、４Ｇ…左右の操作片、
４ａ…嵌合部分、４ｂ…当接部分、
５、６…連結具、
５Ａ、６Ａ…連結部（連結長孔）、
７、８、７Ａ、８Ａ…一対の牽引部材、
７ａ、７ｂ、８ａ、８ｂ…牽引部材の各端部、
１１…長尺状１Ａの案内切欠、
１２、１３…被係合部（メス）、
１４、１５…係合部（オス）。
【図１】
0006464022.tif 000002
【図２】
0006464022.tif 000003
【図３】
0006464022.tif 000004
【図４】
0006464022.tif 000005
【図５】
0006464022.tif 000006
【図６】
0006464022.tif 000007
【図７】
0006464022.tif 000008
【図８】
0006464022.tif 000009
【図９】
0006464022.tif 000010
【図１０】
0006464022.tif 000011
【図１１】
0006464022.tif 000012
【図１２】
0006464022.tif 000013
【図１３】
0006464022.tif 000014
【図１４】
0006464022.tif 000015
【図１５】
0006464022.tif 000016
【図１６】
0006464022.tif 000017